(57)【特許請求の範囲】
【請求項１】
建物に装着される換気装置において、
通風路を有する中空の装置本体と、この通風路に配置された柔軟なシートとを備え、
上記装置本体が、上記通風路を挟んで対峙する屋内側の壁と屋外側の壁とを有するとともに、上記通風路を屋内に連通させる通気口と通風路を屋外に連通させる通気口とを有し、上記屋内側の通気口が屋外側の通気口より上方に位置しており、
上記屋内側の通気口より下方かつ上記屋外側の通気口より上方において、上記屋内側の壁から屋外側の壁に向けて突起が形成され、この突起の先端縁と屋外側の壁との間が上記通風路の中間部分として提供され、
上記シートは、上記突起に取り付けられて突起の先端縁から垂れ下がり、上記屋外側の壁と屋内側の壁に対して離間対向するとともに、屋外側の壁によって外部から覆われており、
屋外の風が屋外側通気口から入り込んで屋内側の壁に当たり上記突起に沿って折り返した時に、上記シートがこの風になびいて屋外側に偏移し、上記通風路の中間部分を塞ぐことを特徴とする建物用換気装置。
【請求項２】
上記装置本体が細長く形成されて、窓を開閉する戸に水平に装着され、上記装置本体は、上記屋内側の通気口を開閉する作動板を有し、上記作動板と屋外側の通気口との間に上記シートが配置されていることを特徴とする請求項１に記載の建物用換気装置。
【請求項３】
上記装置本体は、屋内と屋外を仕切る建物壁の孔を覆うようにしてこの建物壁に取り付けられるとともに、水平をなす複数の羽根部材を上下に並べて配置することにより構成され、隣接する羽根部材間に上記通風路が形成され、各羽根部材は、上記屋内側の壁としての起立壁と、この起立壁の下縁部から屋外に向かって斜め下方に延びる第１傾斜壁と、この第１傾斜壁の下縁部から垂下する屋外側の壁としての垂下壁と、上記起立壁の上縁部から屋外に向かって斜め下方に延びる幅の狭い上記突起としての第２の傾斜壁を有し、上記シートは各通風路に配置され羽根部材の長手方向に細長く形成されていることを特徴とする請求項１に記載の建物用換気装置。
【請求項４】
上記通風路の中間部分には、空気の流れを許容するようにして規制部材が配置され、この規制部材は、上記シートの上方への偏移を規制することを特徴とする請求項１〜３のいずれかに記載の建物用換気装置。
【請求項５】
上記通風路が細長く形成され、上記規制部材がこの通風路の長手方向に間隔をおいて複数配置されていることを特徴とする請求項４に記載の建物用換気装置。
【請求項６】
上記規制部材が、網からなることを特徴とする請求項４に記載の建物用換気装置。
【請求項７】
上記シートは合成繊維の布からなることを特徴とする請求項１〜６のいずれかに記載の建物用換気装置。
【請求項８】
上記シートの下縁部には重りが取りつけられていることを特徴とする請求項１〜７のいずれかに記載の建物用換気装置。
【請求項９】
上記シートの下縁部に沿って袋部が形成されており、この袋部に細長い重りが収容されていることを特徴とする請求項８に記載の建物用換気装置。
【発明の詳細な説明】
【０００１】
【発明の属する技術分野】
本発明は、建物に装着される換気装置に関する。
【０００２】
【従来の技術】
ユーザーの手動操作なしに気圧差により開閉する弁手段を備えた換気装置が開発されている。例えば、特開平５−２９５９５９号公報には、屋内と屋外とを仕切る建物壁の孔に屋外側から嵌め込まれたガラリ状換気装置が開示されている。この換気装置は、通風路を有するとともに屋外側に多数の羽根部材を有する装置本体と、この通風路に配置された弁手段とを備えている。この弁手段は、一側縁が回動可能に装置本体に支持された制御板を有している。この制御板は、無風状態のときには、その自重によって通風路を開いている。台風等のように強風が吹いた時には、羽根部材だけでは強風を防ぎきれないが、制御板がこの強風で上方に回動して閉じられ、強風の吹き込みを防ぎ、ひいては雨，埃，砂等の侵入を防いでいる。
【０００３】
実公平７−３５０９６号公報にも、同様の技術思想に基づいたガラリ状換気装置が開示されている。この換気装置は、上下に間隔をおいて並べられた多数の羽根部材を有し、隣接する上下の羽根部材間に通風路が形成され、各通風路に制御板が配置されている。この制御板も羽根部材に回動可能に支持され、自重で開き位置にあり、強風時に上方に回動して通風路を閉じ、強風の吹き込みを防いでいる。
【０００４】
実公平７−２９１６５号公報では、上記実公平７−３５０９６号公報と似ているが、制御板が弾性部材からなり、強風時に弾性変形して通風路を塞ぐようになっている。
【０００５】
特開平５−１７１８７７号公報は、浴室やトイレ等の特別な室と他の室とを仕切る戸に装着される換気装置を開示している。この換気装置では、装置本体が浴室に面する壁と他の室に面する壁とを有し、これら壁間に通風路が形成され、これら壁に形成された通気口を介して通風路が浴室および浴室と反対側の室に連なっている。通風路には上下に複数並んで制御板が配置されている。これら制御板は上縁部が回動可能に支持されており、浴室と他の室との間に気圧差が無い時には、その自重により垂れ下がって通風路を塞ぎ、浴室からの湿気の漏れを防いでいる。浴室側のファンが駆動されて浴室が負圧になると、上記制御板がその両側の気圧差により回動して、通風路を開き、浴室から屋外への排気を円滑に行えるようになっている。
【０００６】
【発明が解決しようとする課題】
上記換気装置では、ユーザーの操作なしに通風路での空気流通を制御できるという利点を有しているが、制御板が剛性であり比較的大きな重量を有しているので、開閉の際に装置本体に当たることにより、衝撃音が発生し、騒音の問題が生じていた。また、制御板は押出型材等からなるため、比較的高価なものであった。
【０００７】
【課題を解決するための手段】
本発明は、上記課題を解決するためになされたものであり、建物に装着される換気装置において、通風路を有する中空の装置本体と、この通風路に配置された柔軟なシートとを有し、このシートはその両側の気圧差に応じて偏移することにより、通風路内での空気の流通を制御することを特徴とする。
【０００８】
本発明は、シートの装置本体への取付けに種々の工夫を加えることができ、また、シートに重りをつけたり、シートの偏移を規制する規制部材を設けてもよい。
【０００９】
さらに、本発明は、窓を開閉する戸に装着される換気装置に適用してもよいし、浴室等の特別室と他の室との間を仕切る戸に装着される換気装置に適用してもよいし、壁に装着されるガラリ状の換気装置に適用してもよいし、壁に装着されるフード状の換気装置に適用してもよいし、換気扇として用いられる換気装置に適用してもよいし、その他あらゆる建物用換気装置に適用することができる。
【００１０】
【発明の実施の形態】
以下、本発明の建物用換気装置を図面を参照しながら説明する。本発明の建物用換気装置は、種々の用途に採用可能であるが、まず、窓のサッシ戸に設けられる換気装置（以下、窓用換気装置と称す）の実施形態（第１〜第１０実施形態）について、説明する。なお、第１〜第１０実施形態のうち、第５実施形態が本発明に係わる実施形態であり、他の実施形態は参考例である。
【００１１】
図１〜図３は、窓用換気装置の第１実施形態を示す。この換気装置は、図１において紙面と直交する方向に水平に細長く延びる中空の装置本体１０と、弁手段２０とを備えている。装置本体１０は、サッシ戸の上框に沿ってその下側に嵌め込まれるものであり、アルミ押出型材からなる屋内側型材１１と屋外側型材１２と作動板１３と、型材１１，１２の両端を塞ぐキャップ（図示しない）とを有している。型材１１，１２は互いに上端部で連結され、内部に屋内と屋外とを連ねる通風路１４が形成されている。この通風路１４は、装置本体１０の長手方向に細長く形成されている。
【００１２】
屋内側型材１１は屋内に面する垂直の平板状の壁１１ａを有しており、この壁１１ａには、上記通風路１４を屋内に連ねる通気口１１ｘが形成されている。この通気口１１ｘは、縦長のスリットからなり、装置本体１０の長手方向に多数並んで形成されている。屋内側型材１１の下端部は、ガラス板（図示しない）を嵌め込むための嵌め込み部１１ｂとなっている。
【００１３】
他方、屋外側型材１２は、屋外に面する垂直の平板状の壁１２ａを有しており、この壁１２ａには、縦長の吹込口１２ｘが装置本体１０の長手方向に多数並んで形成されている。屋外側型材１２の壁１２ａの下縁と屋内側型材１１の嵌め込み部１１ｂとの間には、装置本体１０の長手方向に延びる細長い通気口１５が形成されており、この通気口１５を介して上記通風路１４が屋外と連なっている。上記吹込口１２ｘは、上記通気口１１ｘより低く、上記通気口１５より高い位置にある。
【００１４】
上記作動板１３は、その上縁部が軸部１３ａとなっており、この軸部１３ａが屋外側型材１２の上端部に形成されたタッピングホール１２ｃに回動可能かつ長手方向にスライド可能に収容されている。この作動板１３の下縁には間隔をおいて複数（例えば２つ）の突起１３ｂが形成されている。他方、屋内側型材１１の裏面には、長手方向に間隔をおいて複数（例えば２つ）のカムブロック１６が固定されている。これらカムブロック１６の上面に形成されたカム溝１６ａに、上記作動板１３の突起１３ｂが挿入されている。なお、このカム溝１６ａは、上方から見た時、装置本体１０の長手方向に対して傾斜している。
【００１５】
屋内側型材１１の壁１１ａには、装置本体１０の長手方向に短いストローク分だけスライド可能な操作つまみ（図示しない）が設けられている。この操作つまみは、作動板１３に形成された係合孔（図示しない）に嵌っている。操作つまみを長手方向にスライドさせると、作動板１３も同方向にスライドし、この際、作動板１３の突起１３ｂがカムブロック１６のカム溝１６ａに案内されて壁１１ａに対して斜めに移動し、これに伴い作動板１３が軸部１３ａを中心として回動する。より具体的に述べると、作動板１３は、操作つまみのスライド操作によって、その下端部に設けたクッション１３ｃが壁１１ａの裏面に当たった閉じ位置と、壁１１ａから離れて屋外側型材１２の壁１２ａに沿う開き位置との間で回動する。
【００１６】
次に、弁手段２０について説明する。この弁手段２０は、通風路１４での空気の流通を制御するためのものであり、ナイロン製（合成繊維製）の布２１（撥水性を有する柔軟で薄いシート）を有している。この布２１は、装置本体１０の長手方向に細長い長方形をなしており、その上縁部が装置本体１０の一部である作動板１３に取りつけられた状態で垂れ下げられている。詳述すると、布２１の上縁部は、作動板１３の上部の屋外側の面とアルミ製の帯板２２との間に挟まれ、リベット２３で締め付けられている。
【００１７】
図３に最も良く示すように、上記布２１の下縁部は、折り返されて縫われており、袋部２１ａとなっている。この袋部２１ａには、ゴム等の弾性材料からなる棒形状の重り２４が収容されている。
【００１８】
次に、上記構成をなす換気装置の作用を説明する。図１（A）に示すように、作動板１３が閉じ位置にあり、その下端部のクッション１３ｃが屋内側の壁１１ａに当たった状態では、この作動板１３により通風路１４が遮断されており、屋内と屋外の間の換気は行われない。この閉じ状態では、布２１の上縁部は作動板１３に追随して屋外側の壁１２ａから離れ、中間部がカムブロック１６の先端に引っ掛かり、それより下側の部分がカムブロック１６から鉛直に垂れ下がっている。この作動板１３の閉じ状態では、布２１は流通制御の役割を担わない。
【００１９】
図１（Ｂ）に示すように、操作つまみ１７の操作によって作動板１３が開き位置になると、布２１は、その全体が作動板１３とともに屋外側の壁１２ａに沿って垂れ下がる。屋外が無風（屋内と屋外の気圧差がゼロ）または微風状態にある場合には、布２１は、垂れ下がり状態を維持して通風路１４を遮らないので、屋内と屋外との間の換気が行われる。この際、布２１の下端縁には重り２４が取りつけられているので、微風では揺れることがなく通風路１４の通風状態を確実に保持することができる。
【００２０】
上記作動板１３の開き状態において、台風等の時のように屋外で強風が吹くと、図１（Ｃ）に示すように、布２１の下部が屋内側に向かって吹き上げられ、その下縁部が屋内側型材１１の壁１１ａに接するようにして、通風路１４を遮断する。その結果、強風が屋内に吹き込むのを阻止し、この強風と一緒に埃や雨水が屋内に入り込むのを阻止することができる。なお、布２１は、強風の吹き込みを防止でき、雨や埃の侵入を防止できればよく、多少の空気の通過は許容してもよい。
【００２１】
上記作動板１３の開き状態において、布２１は屋外側の壁１２ａに沿っており、この壁１２ａに形成された吹込口１２ｘに対峙している。この吹込口１２ｂからも風が吹き込み、布２１は室内側型材１１の壁１１ａに向かって押されるので、確実に通風路１４を塞ぐことができる。また、上記布２１の下縁部には重り２４が取り付けられているので、突風によって布２１の下縁部がめくれることはなく、壁１１ａに確実に接して通風路１４を塞ぐことができる。
【００２２】
上記布２１は、板と異なり柔軟であり軽いので、壁１１ａに接しても衝撃音が発生することはない。上記重り２４は壁１１ａに当たるが、布２１の袋部２１ｂに収容されていること、ゴム等の弾性材料であること、軽量であること等により、衝撃音の発生を伴わない。
【００２３】
屋外の風が止むと、布２１は自重により元の垂れ下がり位置に戻り、通風路１４を介しての換気を再開することができる。この際、重り２４の自重により確実に元の垂れ下がり位置に戻ることができる。また、上記重り２４の重量を調節することにより、どの程度の強さの風で通風路１４を塞ぐか決定することができる。
【００２４】
上記布２１は、装置本体１０の長手方向に間隔をおいて配置されたカムブロック１６により上方へのめくれを防止でき、この点からも、布２１は確実に元の垂れ下がり位置に戻ることができ、通風路１４を介しての換気を再開することができる。これらカムブロック１６は、特許請求の範囲の規制部材として機能する。
【００２５】
次に、窓用換気装置の他の実施形態を順次説明する。これら実施形態において、先行して説明する実施形態に対応する構成部には、図中同番号を付してその詳細を省略する。
図４に示す第２実施形態では、通路１４から見て室内側が、２つのアルミ型材１１Ａ，１１Ｂとその上端部間および下端部間に介在された樹脂製の断熱ブリッジ１７とを備えている点で第１実施形態と異なる。型材１１Ａは、屋外側型材１２の壁１２ａと対峙して通風路１４を形成する壁１１ａを有している。型材１１Ｂは、屋内に面する壁１１ａ’を有している。壁１１ａ，１１ａ’には、通気口１１ｘ、１１ｘ’が形成されている。この実施形態の作動板１３、布２１の作用は第１実施形態と同じであり、第１実施形態に比べて断熱機能を高めてある点だけが異なる。
【００２６】
図５，図６に示す第３実施形態では、布２１の上縁部が作動板１３の屋内側の面に接着により取りつけられている。屋外側の型材１２には吹込口が形成されておらず、その下縁部が傾斜して屋内側型材１１に連結され、そこに多数の通気口１２ｙが長手方向に間隔をおいて形成されている。また、布２１には、図６に示すように、カムブロック１６に対応する箇所に切欠２１ｘが形成されており、カムブロック１６に引っ掛からずに作動板１３に追随するようになっている。
【００２７】
上記第３実施形態では、図５（Ａ）に示す作動板１３の閉じ状態では、布２１は、作動板１３と屋内側型材１１の壁１１ａとの間に挟まれている。図５（Ｂ）に示すように作動板１３が開いて垂直状態になると、布２１も作動板１３に沿って垂れ下がる。屋外で強風が吹いた時には、通気口１２ｙから通風路１４内に風が吹き上がり、この際、布２１は、風になびきながらその下縁部が屋内側型材１１の壁１１ａに接することになる。
【００２８】
図７（Ａ）に示す第４実施形態では、作動板１３が屋内側型材１１の上端部のタッピングホール１１ｄに支持されている点、布２１が作動板１３ではなく屋外側型材１２に取りつけられている点で第１実施形態と異なる。詳述すると、屋外側型材１２には、タッピングホール１２ｂ（取付溝）が形成されている。このタッピングホール１２ｂは、吹込口１２ｘ，屋外側の通気口１５より上に位置し、屋内側の通気口１１ｘより下に位置している。このタッピングホール１２ｂに、ゴム等の弾性材料からなる中空棒形状の押込棒２５と一緒に布２１の上縁部が押し込まれている。すなわち、布２１の上縁部が押込棒２５とタッピングホール１２ｂの内面との間に挟まれて取付けられている。
【００２９】
上記第４実施形態では、布２１は作動板１３の下方に配置されており、作動板１３との連動関係はない。作動板１３が開いた状態において、屋外の強風が吹込口１２ｘ，通気口１５から入ると、布２１がこの風によってなびき、屋内側の壁１１ａに形成された突起１１ｃに引っ掛かり、通風路１４を閉じる。この突起１１ｃはカムブロック１６を支持するためのものであり、屋外側の壁１２ａに向かって下方に傾斜して延びている。
【００３０】
上記第４実施形態において、布２１の上縁部をタッピングホール１２ｂに押し込まず、図７（Ｂ）に示すように断面円形の複数の取付部材２６を間隔をおいて収容するようにしてもよい。この取付部材２６は、タッピングホール１２ｂから突出する取付片２６ａを有し、この取付片２６ａに上記布２１の上縁部が接着等により取りつけられている。なお、取付部材２６が布２１と同じナイロンからなる場合には、熱溶着により取りつけてもよい。
【００３１】
図８に示す第５実施形態では、第４実施形態と同様に、布２１が作動板１３から離れてその下方に配置されている。しかし、この布２１が屋外側の型材１２ではなく屋内側型材１１の突起１１ｃに取りつけられている点で、第４実施形態と異なる。詳述すると、突起１１ｃの上面には布２１の上縁部と網２７（規制部材）とがリベット２３で固定されている。網２７は、屋外側の壁１２ａまで延びており、この壁１２ａと上記突起１１ｃの先端縁との間に形成される通風路１４のほぼ全域を占めている。布２１は、突起１１ｃの先端縁から垂れ下がっている。
【００３２】
上記第５実施形態では、屋外の強風は通気口１５から入って屋内側の壁１１ａに当たり、ここで反転して突起１１ｃに沿って進み布２１に当たる。その結果、布２１がなびいて屋外側の壁１２ａに接し、通風路１４を塞ぐ。この際、網２７は、布２１がめくれて突起１１ｃの上面に折り返されるのを防止する。
【００３３】
図９に示す第６実施形態は、回動に伴って開閉を行う作動板１３の代わりに、スライドだけで開閉を行う作動板１８を用いた点で、第１〜第５実施形態と異なる。詳述すると、室内側型材１１の壁１１ａはその上部で傾斜しており、この傾斜部に作動板１８が、装置本体１０の長手方向にスライド可能に支持されている。作動板１８は通気口１１ｘと同ピッチで制御口１８ｘを有し、この作動板１８に取付けた操作つまみ（図示しない）の操作により、制御口１８ｘが通気口１１ｘと合致した開き位置と、制御口１８ｘが通気口１１ｘからずれた閉じ位置との間でスライドするようになっている。また、布２１は、その上縁部が型材１１の上端部に接着等で取りつけられて、垂れ下がっている。
【００３４】
上記第６実施形態では、屋外が強風のとき、布２１が作動板１８に接することにより、制御口１８ｘを塞ぎ、これにより通風路１４を塞ぐようになっている。作動板１８が布２１に向かって傾斜しているので、布２１は、作動板１８のほぼ全域に接することができ、通風路１４の閉鎖を確実に行うことができる。
【００３５】
図１０に示す第７実施形態は、通風路１４に２つの布２１Ａ，２１Ｂを上下に配置した点で、上述した全ての実施形態と異なる。上側の布２１Ａおよびその近傍の配置は、図９に示す第６実施形態と同様であり、下側の布２１Ｂおよびその近傍の配置は、図７（Ａ）に示す第４実施形態と同様であるから、その詳細な説明は省略する。この実施形態では、屋外の強風により、２つの布２１Ａ，２１Ｂが、上記第４，第６実施形態と同様に通風路１４を塞ぐから、より確実に屋内への強風の吹き込みを防止することができる。
【００３６】
図１１に示す第８実施形態では、通風路１４において、装置本体１０の長手方向に延びる複数の支持シャフト２８（支持部材）が、この長手方向と直交する方向に水平に並べられている。なお、支持シャフト２８の両端部は、型材１１，１２の両端を塞ぐキャップ（図示しない）に固定されている。これら支持シャフト２８に布２１の上縁部が取り付けられて垂れ下がっている。詳述すると、これら布２１の上縁部は、袋部２１ｂになっており、この袋部２１ｂに上記支持シャフト２８が挿入されている。
【００３７】
上記第８実施形態では、作動板１３の開き状態において、複数の布２１の間から屋内と屋外の間の換気を行うことができる。風が吹くとこれら布２１がなびき布２１間の空気の流通を抑制する。そして、通気口１５から強風により、布２１は折り畳まれるようにして互いに重なり、通風路１４を塞ぐ。この際、支持シャフト２８は、布２１が上方にめくれ上がるのを防ぐ規制部材としても機能する。
【００３８】
図１２に示す第９実施形態では、布２１は、上縁部と下縁部が屋外側型材１２に取り付けられている。詳述すると、屋外側型材１２には、上下に離れてタッピングホール１２ｂ，１２ｂ’（取付溝）が形成されている。これらタッピングホール１２ｂ、１２ｂ’に、図７の実施形態と同様に中空棒形状のゴム製の押込棒２５、２５’と一緒に布２１の上縁部、下縁部が押し込まれている。布２１は、上下のタッピングホール１２ｂ，１２ｂ’の間隔よりも幅広をなしており、自然状態では、中間部が下側のタッピングホール１２ｂ’から２重をなして垂れ下がっている。これらタッピングホール１２ｂ、１２ｂ’の間に、吹込口１２ｘが形成されている。
【００３９】
上記第９実施形態では、強風が吹込口１２ｘから布２１に吹き込むと、この布２１は風をはらんで室内側の壁１１ａに向かって膨らみ、室内側の壁１１ａから突出する突起１１ｃの先端縁に当たり、これにより、通風路１４を塞ぐことができる。作動板１３は開き状態で屋外側の壁１２ａと平行になっており、布２１の上部はこの作動板１３に規制されるので、下部への膨らみを確実なものとすることができる。
【００４０】
図１３に示す第１０実施形態は、基本構造において、図４の第２実施形態と似ているが、上框一体型として屋外側の型材１２がレール受部１２ｄを有している点で異なる。屋外側の型材１２は、レール受部１２ｄから下方に垂直に延びる壁１２ａを有し、この壁１２ａに通気口１２ｙが形成されている。また、屋内側の壁１１ａ’には、通気口１１ｘ’を覆うフィルタ１９が装着されている。
【００４１】
この実施形態は、布２１が垂れ下がっておらず通風路１４の底面（嵌め込み部１１の上面）に沿って載せられている点で、前述した実施形態と大きく異なる。詳述すると、型材１１Ａには、壁１１ａと嵌め込み部１１ｂとの交差部近傍に、タッピングホール１１ｇ（取付溝）が形成されており、このタッピングホール１１ｇには、押込棒２５により、布２１の一方の縁部（長方形の一方の長辺に対応する縁部）が取り付けられている。この布２１は、通風路１４の底面に沿い、その他方の縁部が通気口１２ｙの近傍まで達している。
【００４２】
上記第１０実施形態において作動板１３が開いた状態で強風が吹くと、この風が通気口１２ｙから通風路１４内に吹き込み、その時、布２１が吹き上げられ、その先縁部が型材１２のタッピングホールを構成する突起１２ｅに接し、通風路１４を塞ぐ。この際、カムブロック１６が布２１のめくれを防止するので、通風路１４を塞いだ状態を確実に維持することができる。なお、通風路１４の底面に突起１１ｅが形成されていて布２１の中間部を持上げていること、通風路１４の底面が通気口１２ｙ近傍において湾曲面１１ｆとなっていて、布２１の先縁部との間に隙間が形成されていることにより、布２１の吹き上げを円滑に行えるようになっている。
【００４３】
次に、第１１実施形態（参考例）として、浴室（特別室）と脱衣室（他の室）との間の戸に装着される換気装置（以下、浴室用換気装置と称す）について、図１４を参照しながら説明する。この換気装置は、浴室の戸の下框の上側に装着されるものであり、装置本体３０と弁手段２０とを備えている。装置本体３０は、アルミ製のベース型材３１と浴室側型材３２とを備えている。このベース型材３１は、脱衣室側の垂直な壁３１ａを有し、その上端部にガラスＧを嵌め込むための嵌め込み部３１ｂを有し、その下端部に下框Ｓに嵌め込まれる嵌め込み部３１ｃを有している。垂直壁３１ａには縦長の多数のスリットからなる通気口３１ｘが形成されている。
【００４４】
上記浴室側型材３２は、浴室側壁として垂直壁３２ａとその下端から脱衣室側の壁３１ａに沿って延びる傾斜壁３２ｂとを有し、これら壁３２ａ，３２ｂには、それぞれスリットからなる多数の通気口３２ｘ，３２ｙが形成されている。上記脱衣室側の壁３１ａと浴室側の壁３２ａ，３２ｂとの間に通風路３４が形成されている。
【００４５】
弁手段２０は、図７に示す実施形態と同様の構成をなしており、布２１の上縁部が壁３１ａの上端部に形成されたタッピングホール３１ｃと押込棒２５を介して型材３１に取り付けられており、布２１の下縁部に重り２４が取り付けられている。
【００４６】
上記第１１実施形態をなす浴室用換気装置では、浴室のファンを駆動させない状態では、浴室と脱衣室との間の気圧差がゼロであるので、布２１は、鉛直に垂れ下がって脱衣室側の壁３１ａに沿っており、通気口３１ｘを塞ぎ、ひいては通風路３４を塞いでいる。したがって、浴室内の水または湯の飛沫が布２１によって脱衣室へ入り込むのを防止される。
【００４７】
浴室を乾燥させるために浴室のファンが駆動されると、浴室が負圧となり、浴室と脱衣室との間の気圧差により、布２１は想像線で示すようになびき、脱衣室側の通気口３１ｘを開く。その結果、脱衣室の空気が通気口３１ｘから通風路３４を通り、通気口３２ｘ，３２ｙから浴室へと流れる。そのため、浴室内の湿気を円滑に排出することができる。
【００４８】
上記実施形態では、脱衣室側にファンがある場合にこれを駆動させても、布２１が壁３１ａにくっつき逆止弁として働くので、通風を阻止でき、浴室の湿気を脱衣室に呼び込むのを防止できる。
【００４９】
次に、浴室用換気装置に適用される第１２実施形態（参考例）について、図１５を参照しながら説明する。装置本体３０’は、換気有効面積を増やすためにガラリ状にしたものであり、垂直に間隔を置いて配置された５つの型材を有している。最も上の型材は、図１４の嵌め込み部３１ｂに相当する嵌め込み部材３５となり、最も下の型材は、図１４の嵌め込み部３１ｃに相当する嵌め込み部材３６となる。下側の嵌め込み部材３６は、起立壁３６ａを有し、羽根部材としての役割も有している。
【００５０】
上記嵌め込み部材３５，３６間に配置された３つ（複数）の型材は羽根部材３７となる。各羽根部材３７は、中央に配置された起立壁３７ａと、この起立壁３７ａの下端から浴室側、脱衣室側に向かって斜め下方に延びる一対の傾斜壁３７ｂと、これら傾斜壁３７ｂの下端から鉛直に垂れ下がる垂下壁３７ｃとを有している。
【００５１】
上側の羽根部材３７の起立壁３７ａは、嵌め込み部材３５に近接しており、これらの間には実質的に通風路が形成されない。上下に隣接する羽根部材３７間には、通風路３８が形成されている。また、下側の羽根部材３７と嵌め込み部材３６との間にも通風路３８が形成されている。各通風路３８には弁手段２０が配置されている。この弁手段２０は、図１４と同様の構成であるが重りは省かれている。詳述すると、羽根部材３７において起立壁３７ａと一対の傾斜壁３７ｂの交差部には、タッピングホール３７ｄが形成されており、このタッピングホール３７ｄには、押込棒２５を介して布２１の上縁部が取り付けられている。
【００５２】
上記第１２実施形態の浴室用換気装置において、浴室のファンを駆動させない状態では、浴室と脱衣室との間の気圧差がゼロであるので、布２１は、鉛直に垂れ下がって起立壁３６ａ，３７ａの浴室側の面に接し、通風路３８を塞いでいる。したがって、浴室内の水または湯の飛沫が布２１によって脱衣室へ入り込むのを防止される。
【００５３】
浴室を乾燥させるため浴室のファンが駆動されると、浴室が負圧となり、浴室と脱衣室との間の気圧差により、布２１は想像線で示すようになびき、起立壁３６ａ，３７ａから離れ、通風路３８を開く。その結果、脱衣室の空気が通風路３８を通り浴室へと流れる。そのため、浴室内の湿気を円滑に排出することができる。
【００５４】
上記実施形態において、図１５において想像線で示すように起立壁３６ａ，３７ａに網３９（規制部材）を取り付けてもよい。こうすれば、脱衣室側にファンがある場合にこれを駆動させても、布２１が網３９にくっつき逆止弁として働くので、通風を阻止でき、浴室の湿気を脱衣室に呼び込むのを防止できる。
【００５５】
上記第１１，第１２実施形態は、トイレ（特別室）と廊下（他の室）とを開閉する戸に適用することもできる。この場合、布２１が垂れ下がって閉じた状態では、トイレの臭気が廊下に逃げるのを防止できる。トイレのファンが駆動した時には、布２１が開いて臭気を円滑に排出することができる。
【００５６】
次に、屋外と屋根裏空間（屋内）とを仕切る建物壁に装着されるガラリ状換気装置（以下、壁用のガラリ状換気装置と称す）に適用した第１３実施形態（本発明の実施形態）について、図１６、１７を参照しながら説明する。装置本体４０は、壁Ｋに形成された孔Ｂを覆うようにして壁Ｋに固定されており、上下に間隔をおいて並べらた多数の水平をなす型材と左右の垂直をなす型材（図示しない）を有している。最も上の水平型材からなる上枠４１と、最も下の水平型材からなる下枠４２との間には、同一断面形状の型材からなる複数の羽根部材４３が配置されている。
【００５７】
上記羽根部材４３は、屋根裏空間側に位置する起立壁４３ａと、この起立壁４３ａの上下端から屋外に向かって斜め下方に延びる傾斜壁４３ｂ，４３ｃと、下側傾斜壁４３ｃの屋外側の縁から下方に延びる垂下壁４３ｄとを有している。なお、上側の傾斜壁４３ｂは、下側の傾斜壁４３ｃより幅が狭い。その結果、上下に隣接する羽根部材４３間には、縦断面がほぼＳ字形をなす通風路４４が形成されている。
【００５８】
上枠４１は、羽根部材４３の傾斜壁４３ｃ、垂下壁４３ｄと同形状の傾斜壁４１ｃ，垂下壁４１ｄを有しており、この上枠４１と最上位の羽根部材４３との間には、上下に隣接する羽根部材４３間の通風路４４と同形状の通風路４４が形成されている。また、下枠４２は、羽根部材４３の起立壁４３ａ，傾斜壁４３ｂ，４３ｃと同形状の起立壁４２ａ，傾斜壁４２ｂ，４２ｃを有しており、最下位の羽根部材４３との間に、上下に隣接する羽根部材４３間の通風路４４と同形状の通風路４４が形成されている。したがって、上枠４１，下枠４２も羽根部材としての役割を担う。
【００５９】
各通風路４４には、弁手段２０が配置されている。この弁手段２０の布２１の上縁部は傾斜壁４３ｂ，傾斜壁４２ｂの上面に接着等の手段で取り付けられており、この傾斜壁４３ｂ，４２ｂの屋外側の縁から垂れ下がっている。布２１の下縁部には、前述の実施形態と同様にして棒状の重り２４が取り付けられている。傾斜壁４３ｃ，４１ｃと垂下壁４３ｄ，４１ｄが交差する隅部には、ブロック４５（規制部材、図１７にのみ示す）が取り付けられている。このブロック４５は、通風路４４の長手方向（紙面と直交する方向）に間隔をおいて複数配置されている。
【００６０】
上記第１３実施形態をなす壁用のガラリ状換気装置では、無風状態で布２１は垂れ下がり状態にあり、通風路４４は開かれていて、屋根裏空間は屋外と連なり良好に換気される。強風が吹くと、この風は屋外から傾斜壁４３ｃ、４２ｃの上面に沿って斜め上方に通風路４４に入り込み、起立壁４３ａ，４２ａに当たり、ここで反転して傾斜壁４３ｂに沿って屋外に向かって進む。それからさらに垂下壁４３ｄ，４１ｄで反転して、傾斜壁４３ｃ，４１ｃの下面に沿って屋根裏空間に入り込もうとする。この際、布２１は、屋外に向かって反転された風になびいてその下縁部が垂下壁４３ｄ，４１ｄに接し、通風路４４を塞ぐ。これにより、強風が屋根裏空間に吹き込むのを防止することができる。また、強風に伴って通風路４４に入り込んだ雨滴の大部分は、強風が起立壁４３ａに当たって反転する際に傾斜壁４３ｃ，４２ｃに落下し、また残りの雨滴は布２１に阻止されてここから傾斜壁４３ｃ，４２ｃに落下する。落下した雨滴は傾斜壁４３ｃ，４２ｃを伝って屋外に排出される。
【００６１】
次に、壁用のガラリ状換気装置に適用した第１４実施形態（参考例）について、図１８を参照しながら説明する。この第１４実施形態では、図１６，図１７の実施形態における羽根部材４３の傾斜壁４３ｂの代わりに布２１で代用し、型材コストの軽減を図っている。すなわち、羽根部材４３の起立壁４３ａの上端部には、タッピングホール４３ｅが形成されており、このタッピングホール４３ｅには、押込棒２５を介して布２１の上縁部が取り付けられている。また、通風路４４には、通風路４４の長手方向に延びるシャフトが、タッピングホール４３ｅの斜め下方に位置して配置されており、このシャフト４６に布２１の中間部が引っ掛けられている。この布２１のタッピングホール４３ｅからシャフト４６までの部分が、図１６，図１７の実施形態の傾斜壁４３ｂの役割を担うのである。同様にして、図１６の下側型材４２の傾斜壁４２ｂも布２１で代用できる。
【００６２】
次に、壁用のガラリ状換気装置に適用した参考例としての第１５〜第２１実施形態について、順次説明する。まず、第１５実施形態について、図１９を参照しながら説明する。この第１５実施形態では、羽根部材４３の上側の傾斜壁４３ｂの幅が、図１６，図１７の実施形態より狭く、下側の傾斜壁４３ｃの幅方向の略中央に、布２１の上縁部が取り付けられている。詳述すると、傾斜壁４３ｃの下面にはタッピングホール４３ｅが形成され、このタッピングホール４３ｅに押込棒２５を介して布２１の上縁部が取り付けられ、この布２１は下縁部に重り２４を有して垂れ下がっている。そして、強風時には屋内に向かってなびき、起立壁４３ａおよび傾斜壁４３ｂに接して通風路４４を塞ぐようになっている。なお、上枠４１，下枠４２（図１６参照）の構造は、この羽根部材４３に対応して変更されていることは勿論である。
【００６３】
次に、壁用のガラリ状換気装置に適用した第１６実施形態について、図２０を参照しながら説明する。この第１６実施形態は、図１８の第２実施形態と似た構造であるが、シャフト４６が省かれ、板４７（規制部材）が装着された点で異なる。この実施形態では、布２１は、起立壁４３ａに沿って垂れ下がり、途中から傾斜壁４３ｃの上面に載せられている。布２１には重りは取り付けられていない。強風が吹くと布２１が吹きあがり、上方の羽根部材４３の傾斜壁４３ｃから垂下壁４３ｄにわたって接することにより通風路４４を塞ぐ。上記板４７は、通風路４４の長手方向に間隔を置いて複数配置されており、上側の羽根部材４３の傾斜壁４３ｃと下側の羽根部材４３の起立壁４３ａに固定され、その中間部が通風路４４に架けられている。この板４７により布２１が屋根裏空間へめくり上がるのを防止することができる。
【００６４】
次に、屋内と屋外とを仕切る建物壁に装着されるフード状換気装置に適用した第１７実施形態について、図２１を参照しながら説明する。この実施形態では、装置本体５０は、建物壁Ｋの孔Ｂの屋外側の端部に嵌め込まれる円筒形状の嵌め込み部５１と、この嵌め込み部５１の屋外側端部に設けられたほぼ直方体形状のフード部５２と、このフード部５２の左右縁および上縁に設けられて壁Ｋに固定される取付片５３とを有している。上記フード部５２と嵌め込み部５１の内部空間が通風路５４として提供される。上記フード部５２の下端開口５２ａは、通風路５４を屋外に連通させるようになっている。また、嵌め込み部５１の屋外側の端部のほぼ下半分には、円弧形状の突起５５（規制部材）が設けられている。この突起５５には水抜き孔５５ａが形成されている。
【００６５】
上記フード部５２の内部空間には、弁手段２０が配置されている。詳述すると、フード部５２には、壁Ｋと平行にかつ水平をなして支持シャフト５６（支持部材）が掛け渡されている。この支持シャフト５６には、図１１の実施形態と同様に、上縁部の袋部２１ｂを挿通させるようにして、布２１が取り付けられている。この布２１の下縁部には重り２４が取り付けられている。
【００６６】
上記構成の実施形態では、屋外の強風が下端開口５２ａから吹き込んだ時に、布２１の下縁部がフード部５２の壁Ｋ側の内面に接し、通風路５４の流通断面積を最小にし、実質的にこれを塞ぐ。上記重り２４の長さが嵌め込み部５１の径より大きいので布２１が嵌め込み部５１に入り込むのを抑制できるが、さらに突起５５を設けたことにより、布２１の入り込みを確実に阻止することができる。そのため、強風が止めば、布２１は元の垂れ下がり状態に戻ることができる。
【００６７】
上記とは逆に屋内の気圧が屋外より高くなった時、または孔Ｋの屋内側の端部に換気扇が設けられていてこれが作動した時には、布は壁Ｋから離れるようになびき、通風路５４の流通断面積を増大させるから、屋内空気の排出を円滑に行うことができる。
【００６８】
次に、壁用のフード状換気装置に適用した第１８実施形態について図２２を参照して説明する。この実施形態では、弁手段２０は、２枚の布２１，２１’を用いている。布２１は、図２１の第１実施形態と同様に、支持シャフト５６に取り付けられて垂れ下がっている。他方、フード部５２の壁Ｋから離れた傾斜部５２ｂの上部には、タッピングホール５２ｃが形成され，このタッピングホール５２ｃに押込棒２５を介してもう１枚の布２１’の上縁部が取り付けられている。上記タッピングホール５２ｃと支持シャフト５６との間、および支持シャフト５６と突起５５との間には、それぞれシャフト５７（規制部材）が配置されている。
【００６９】
上記構成の実施形態では、２枚の比較的短い布２１、２１’を通風路５４に配置したので、微風状態での換気のための流通抵抗を図２１の実施形態より小さくすることができる。屋外に強風が吹いた時には、布２１の下縁部がフード部５２の壁Ｋ側の内面に接し、布２１’の下縁部が布２１の上縁部に重なることにより、通風路５４が塞がれる。２本のシャフト５７は布２１，２１’のめくれを防止する。
【００７０】
図２３は、壁用換気装置に適用した第１９実施形態を示す。この換気装置は壁Ｋの屋内側に設置されるものであり、その装置本体６０は、壁Ｋの孔Ｂの屋内側の端部を塞ぐようにして壁Ｋに固定された四角形の垂直壁６１と、この垂直壁６１の上下部から孔Ｂの奥に向かって水平に延びる水平壁６２，６３とを有している。これら水平壁６２，６３間に通風路６４が形成されている。下側の水平壁６３は上側の水平壁６２より短く、その先端縁には起立壁６５が形成されている。垂直壁６１には通気口６１ａが形成されており、この通気口６１ａは作動板６６により開閉されるようになっている。すなわち、作動板６６は垂直壁６１にスライド可能に支持され、垂直壁６１の通気口６１ａと同ピッチの制御口６６ａが形成されており、つまみ６７のスライド操作により通気口６１ａを開閉するようになっている。
【００７１】
通風路６４に設けられる弁手段２０の布２１は、その上縁部が上側の水平壁６２の先縁部に形成されたタッピングホール６２ａに押込棒２５を介して取り付けられており、上記起立壁６５より屋外側に離れて垂れ下がっている。屋外から強風が吹きこんだ時には、この布２１の下縁部が起立壁６５に接して通風路６４を塞ぐようになっている。
【００７２】
次に、換気扇（換気装置）に適用した第２０実施形態（参考例）について、図２４、図２５を参照しながら説明する。この換気扇は、壁に装着される装置本体７０を有している。この装置本体７０は、ファン７９を回転可能に収容した四角形の基部７１と、この基部７１に連設されて壁の孔に嵌め込まれる嵌め込み部７２とを有している。基部７１には、操作紐７３が設けられており、この操作紐７３を引くとファン７９のためのスイッチ（図示しない）をオン，オフすることができるようになっている。
【００７３】
上記基部７１と嵌め込み部７２の内部空間が通風路７４となっており、嵌め込み部７２には、弁手段２０が配置されている。この弁手段２０は、複数例えば４枚の布２１を上下に一部重なるようにして並べたものである。詳述すると、嵌め込み部７２には、水平をなす４本の支持シャフト７６（支持部材）が上下に間隔をおいて配置されている。この支持シャフト７６に布２１の上縁部の袋部２１ｂが挿通支持され、布２１が垂れ下がっている。この支持シャフト７６および布２１の屋内側の近傍には、網７７（規制部材）が配置されている。
【００７４】
上記実施形態では、無風状態で布２１は垂れ下がり互いに一部重なり合って通風路７４を塞いでおり、虫等の侵入を防いでいる。強風が吹いた時には、布２１は屋内に向かってなびこうとするが網７７に遮られ、この網７７に貼り付いて通風路７４を塞ぐ。このように、布２１と網７７とで逆止弁の作用がなされ、強風が屋内に吹き込むのを防止することができる。
【００７５】
操作紐７３の操作でファン７９が回転すると、布２１はファン７９の送風作用により図２５（Ｂ）に想像線で示すように、屋外に向かってなびく。その結果、ファン７９の送風作用を阻害することなく、円滑な排気動作を確保できる。通常の換気扇では、操作紐７３を引いてファン７９をオンさせる際に通風路７４の羽根板を開き、操作紐７３を再度引いてファン７９をオフさせる際に通風路７４の羽根板を閉じるようにしており、この羽根板の開閉を操作紐７３の操作によって行うため、強い操作力を必要としたが、本実施形態では、操作紐７３はファン７９のオン，オフだけを行えばよいので、操作が楽である。また、羽根板の開閉に伴う騒音もない。
【００７６】
次に、換気扇に適用した第２１実施形態について、図２６を参照しながら説明する。この換気扇では、装置本体７０は、基部７１と嵌め込み部７２からなる主部分と、この嵌め込み部７２に着脱可能にして四角いフレーム８０とを備えている。このフレーム８０は、樹脂製で嵌め込み部７２の先端縁に嵌る溝８０ａを有している。このフレーム８０は通風路７４の一部を構成している。このフレーム８０に前述したシャフト７６、布２１、網７７が設けられている。この実施形態では、布２１，網７７が汚れたときに、フレーム８０を取り外して、新しいものと交換することができる。
【００７７】
本発明は上記実施形態に制約されず、種々の態様が可能である。例えば、シートは、合成繊維製の布のみならず、合成樹脂製のフィルム、不織布等であってもよい。シートの縁部が取り付けられる支持部材として、支持シャフトの代わりにワイヤであってもよい。シートの縁部が取り付けられる取付部材は、取付溝に沿って移動させるようにしてもよい。この取付部材の移動により、シートの手動開閉を行うことができる。
【００７８】
全ての実施形態において、シートに取り付けられる重りを調節することにより、流通制御特性を調節することができる。また、シートに重りをつけた実施形態において、必要に応じて重りを省いてもよいし、重りをつけない実施形態において、必要に応じて重りをつけるようにしてもよい。さらに、この重りは、弾性材料の変わりに針金等であってもよい。
【００７９】
シートを２つ折りにし、この折った部位を装置本体に取り付けてもよい。この場合、２枚のシートの各縁部が装置本体に取り付けられていると解釈する。
【００８０】
上記実施形態で説明したシートの縁部の取り付け構造は、他の実施形態に適用することも可能である。また、上記実施形態で説明した規制部材は、他の実施形態にも適用することができる。また、第１〜第１０実施形態の窓用換気装置において、作動板を省いてもよい。さらに、本発明は、棟や屋根に装着した換気装置等、建物に用いられるあらゆる種類の換気装置に適用可能である。
【００８１】
【発明の効果】
以上説明したように、本発明の第１の態様によれば、換気装置の自動流通制御を、気圧差によって偏移する柔軟なシートを用いて行うので、安価に製造できるとともに、騒音をなくすことができる。また、屋外の強風が作用した時に、シートを屋外へなびかせることにより、シートが通風路を塞いで強風の屋内への吹き込みを防ぎ、この強風に伴う雨や埃等の屋内への侵入を防止することができる。
本発明の第２の態様によれば、窓用換気装置において、作動板で通風路を手動開閉することができ、これとは別にシートで屋外の風の強さによって自動的に通風路を開閉することができる。
本発明の第３の態様によれば、壁用のガラリ状換気装置において、屋外の強風が作用した時に、シートが通風路を塞いで強風の屋内への吹き込みを防ぎ、この強風に伴う雨や埃等の屋内への侵入を防止することができる。また、羽根部材の起立壁，２つの傾斜壁、垂下壁により、上記シートの作用と相俟って雨等の侵入を確実に防止できる。
本発明の第４の態様によれば、規制部材でシートの偏移を規制するので、シートを気圧差ゼロの位置に確実に戻したり、逆止弁としての役割を持たせたり、種々の機能を発揮することができる。
本発明の第５の態様によれば、細長い通風路に間隔を置いて規制部材を配置することにより、簡単な構造でシートの規制を行うことができる。
本発明の第６の態様によれば、規制部材として網を用いることにより、確実にシートの規制を行うことができる。
本発明の第７の態様によれば、シートを合成繊維の布で構成するので、安価かつ耐候性、柔軟性に優れている。
本発明の第８の態様によれば、重りをつけることにより、垂れ下がり状態に確実に戻ることができる。またこの重りにより流通制御特性を調節することができる。
本発明の第９の態様によれば、細長い重りをシートの袋に入れることによって、重りを簡単にシートに装着することができる。
【図面の簡単な説明】
【図１】窓用換気装置に適用した参考例としての第１実施形態を示す縦断面図であり、（Ａ）は作動板による閉じ状態を示す、（Ｂ）は作動板の開き状態で通風が可能な状態を示し、（Ｃ）は、作動板の閉じ状態での布による通風遮断状態を示す。
【図２】上記換気装置の一部を示す背面図である。
【図３】上記布の下縁部を示す拡大断面図である。
【図４】窓用換気装置に適用した参考例としての第２実施形態を示す縦断面図である。
【図５】窓用換気装置に適用した参考例としての第３実施形態を示す縦断面図であり、（Ａ）は作動板による閉じ状態を示す、（Ｂ）は作動板の開き状態を示す。
【図６】同第３実施形態における背面図である。
【図７】（Ａ）は窓用換気装置に適用した参考例としての第４実施形態を示す縦断面図であり、（Ｂ）は布の取り付け構造の変形例を示す要部断面図である。
【図８】本発明を窓用換気装置に適用した実施形態としての第５実施形態を示す縦断面図である。
【図９】窓用換気装置に適用した参考例としての第６実施形態を示す縦断面図である。
【図１０】窓用換気装置に適用した参考例としての第７実施形態を示す縦断面図である。
【図１１】窓用換気装置に適用した参考例としての第８実施形態を示す縦断面図である。
【図１２】窓用換気装置に適用した参考例としての第９実施形態を示す縦断面図である。
【図１３】窓用換気装置に適用した参考例としての第１０実施形態を示す縦断面図である。
【図１４】浴室用換気装置に適用した参考例としての第１１実施形態を示す縦断面図である。
【図１５】浴室用換気装置に適用した参考例としての第１２実施形態を示す縦断面図である。
【図１６】本発明を壁用のガラリ状換気装置に適用した実施形態としての第１３実施形態の全体を示す縦断面図である。
【図１７】同実施形態の要部の拡大縦断面図である。
【図１８】壁用のガラリ状換気装置に適用した参考例としての第１４実施形態の要部拡大縦断面図である。
【図１９】壁用のガラリ状換気装置に適用した参考例としての第１５実施形態の要部拡大縦断面図である。
【図２０】壁用のガラリ状換気装置に適用した参考例としての第１６実施形態の要部拡大縦断面図である。
【図２１】壁用のフード状換気装置に適用した参考例としての第１７実施形態の縦断面図である。
【図２２】壁用のフード状換気装置に適用した参考例としての第１８実施形態の縦断面図である。
【図２３】壁用の屋内設置型換気装置に適用した参考例としての第１９実施形態の縦断面図である。
【図２４】換気扇に適用した参考例としての第２０実施形態を示し、（Ａ）は正面図であり、（Ｂ）は一部断面にして示す側面図である。
【図２５】上記第２０実施形態の要部拡大縦断面図である。
【図２６】換気扇に適用した参考例としての第２１実施形態を、一部断面にしかつ分解して示す側面図である。
【符号の説明】
１０  装置本体
１１ａ  屋内側の壁
１１ｃ  突起
１１ｇ  タッピングホール（取付溝）
１１ｘ  屋内側通気口
１２ａ  屋外側の壁
１２ｂ，１２ｂ’  タッピングホール（取付溝）
１２ｘ  吹込口
１２ｙ，１５  屋外側通気口
１３，１８  作動板
１４  通風路
１６  カムブロック（規制部材）
２０  弁手段
２１，２１Ａ，２１Ｂ，２１’  布（シート）
２１ａ，２１ｂ  袋部
２４  重り
２５  押込棒
２６  取付部材
２７  網（規制部材）
２８  支持シャフト（細長い支持部材）
３０、３０’  装置本体
３１ａ  脱衣室（他の室）側の壁
３１ｃ  タッピングホール（取付溝）
３１ｘ  脱衣室（他の室）側の通気口
３２ａ，３２ｂ  浴室（特別室）側の壁
３２ｘ，３２ｙ  浴室（特別室）側の通気口
３４  通風路
３７  羽根部材
３７ａ  起立壁
３７ｄ  タッピングホール（取付溝）
３８  通風路
３９  網（規制部材）
４０  装置本体
４３  羽根部材
４３ａ  タッピングホール（取付溝）
４４  通風路
４５，４７  規制部材
５０、６０  装置本体
５２ｃ，６２ａ  タッピングホール（取付溝）
５４、６４  通風路
５５  突起（規制部材）
５６  支持シャフト（支持部材）
５７  シャフト（規制部材）
７０  装置本体
７４  通風路
７６  支持シャフト（支持部材）
７７  網（規制部材）
７９  ファン
８０  フレーム
【図１】
0004297569.tif 000002
【図２】
0004297569.tif 000003
【図３】
0004297569.tif 000004
【図４】
0004297569.tif 000005
【図５】
0004297569.tif 000006
【図６】
0004297569.tif 000007
【図７】
0004297569.tif 000008
【図８】
0004297569.tif 000009
【図９】
0004297569.tif 000010
【図１０】
0004297569.tif 000011
【図１１】
0004297569.tif 000012
【図１２】
0004297569.tif 000013
【図１３】
0004297569.tif 000014
【図１４】
0004297569.tif 000015
【図１５】
0004297569.tif 000016
【図１６】
0004297569.tif 000017
【図１７】
0004297569.tif 000018
【図１８】
0004297569.tif 000019
【図１９】
0004297569.tif 000020
【図２０】
0004297569.tif 000021
【図２１】
0004297569.tif 000022
【図２２】
0004297569.tif 000023
【図２３】
0004297569.tif 000024
【図２４】
0004297569.tif 000025
【図２５】
0004297569.tif 000026
【図２６】
0004297569.tif 000027